(57)【要約】【課題】収納した椀状容器の保持機能がありながら、しかも湾曲部分がある外観を呈することができるようにしつつ、紙の使用量を少なくしてコストダウンを図ること。【解決手段】胴部に椀状容器Ｂを収納するようになっており、底板は天板３より前方に突き出るサイズであり、底板の前方には折り返されることによりその先端縁が収納した椀状容器Ｂのフランジに係合してその飛出しを防止する押え板１２が連設され、天板３の前方には折り返された押え板１２を跨いだ状態で先端が底板に係止可能となったカバー板１３が連設されている。押え板１２の先端を椀状容器Ｂに係合させることで、加熱調理時における椀状容器Ｂのカートン内での移動を防止できるので、上下二段の板材からなる座部によって椀状容器を保持する従来のカートンに比べると、用紙の使用量が少なくなる。【選択図】図３
2011006108.tif 000002
【特許請求の範囲】
【請求項１】
一枚のブランクを組み立てて形成されるカートンであって、底板と天板と一対の側板とで角筒状の胴部が形成され、その胴部の後部が閉じられて閉鎖部が形成された状態で、胴部に椀状容器を収納するようになっており、底板は天板より前方に突き出るサイズであり、底板の前方には折り返されることによりその先端縁が収納した椀状容器のフランジに係合してその飛出しを防止する押え板が連設され、天板の前方には折り返された押え板を跨いだ状態で先端が底板に係止可能となったカバー板が連設されていることを特徴とする電子レンジ調理用カートン。
【請求項２】
請求項１に記載の電子レンジ調理用カートンを用いた包装体であって、底板と天板と一対の側板とで形成される角筒状の胴部に椀状容器が収納されており、底板の前方には、折り返されてその先端縁が椀状容器のフランジに係合可能な押え板が連設され、天板の前方には、折り返された押え板を跨いだ状態で先端が底板に係止されるカバー板が連設されていることを特徴とする包装体。
【請求項３】
請求項１に記載の電子レンジ調理用カートンを用いた包装体であって、底板と天板と一対の側板とで形成される角筒状の胴部に椀状容器が収納され、かつ椀状容器の上に包装袋が載置されており、底板の前方には、折り返されてその先端縁が椀状容器のフランジに係合可能な押え板が連設され、天板の前方には、折り返された押え板を跨いだ状態で先端が底板に係止されるカバー板が連設されていることを特徴とする包装体。
【発明の詳細な説明】
【技術分野】
【０００１】
本発明は、食品等を収納するカートンの技術分野に属し、詳しくは、他の容器に移し替えることなくそのまま電子レンジで加熱調理して食することができるように加工食品等を収納するための電子レンジ調理用カートンとそれを用いた包装体に関する。
【背景技術】
【０００２】
従来より、電子レンジで加熱調理する加工食品として、加熱調理するご飯を収容した椀状容器と、同じく加熱調理する具材を収容した包装袋とを組み合わせたセット商品が知られており、通常、このセット商品の椀状容器と包装袋は一つのカートンに一緒に入れて販売されている。この種のカートンとして普通はボックス状のものが用いられているが、最近では、特許文献１に記載のようなスリーブ型のものも利用されている。
【０００３】
特許文献１に記載のスリーブ型カートンは、椀状容器の底部を保持する座部と、この座部に一端を連接して椀状容器の上方を跨いで他端が前記座部に係脱可能に設けられているカバー部とを備えたもので、座部は、椀状容器の底部が相対する底板と椀状容器の容器本体を保持する開口を備えた保持板との上下二段の板材からなっており、この座部に保持された椀状容器は、一般の購入者が通常に取り扱ったとしても、回転したり、抜け落ちたり、ずれたりすることがなく、安定に保持されるため、商品形態を良好な状態に保つことができるというものである。
【０００４】
このスリーブ型カートンに上記したセット商品、すなわち加熱調理するご飯を収容して蓋材でシールした椀状容器と、同じく加熱調理する具材を収容した包装袋とを重ねた状態で収納して包装体が形成される。この包装体は店頭にて販売に供されるが、湾曲部分を上にして立てた状態で並べて陳列することにより目立つものとなり、販促効果を発揮するものである。
【０００５】
この包装体を用いた電子レンジでの加熱調理の手順は次のようである。まず、スリーブ型カートンのカバー部を開き、椀状容器の蓋材の一部を捲って開くとともに前記包装袋を開封し、蓋材を捲って形成した開口から包装袋側の具材を椀状容器に入れてご飯と合わせる。次に、蓋材を戻して開口を閉じるとともに、カバー部を戻してその先端を座部に係止させる。そして、スリーブ型カートンと椀状容器との組合せとなった包装体をカバー部が被せられた状態のまま電子レンジの庫内に入れ、電子レンジによる加熱調理を行う。このとき、マイクロ照射された食品が突沸する可能性があるが、カバー部の閉じによって蓋材の開きが抑えられているとともに、カバー部にて椀状容器の上方を覆っているため、椀状容器内から食品の飛沫が包装体外部に飛ぶことがなく、電子レンジの庫内を汚すことがない。加熱が終了すれば、包装体を電子レンジの庫内から取り出し、カートンのカバー部を開き、椀状容器の蓋材を取り除いて中身を食することになる。
【先行技術文献】
【特許文献】
【０００６】
【特許文献１】特開２００４−２５６１７０号公報
【発明の概要】
【発明が解決しようとする課題】
【０００７】
上記した特許文献１に記載のスリーブ型カートンは、上下二段の板材で構成される座部を有しており、これによって椀状容器が保持されて安定するようにはなっているが、このような座部を設けるために、カートンを組み立てるための用紙の使用量が多くなってしまう。このため、包装材から取れるブランクの枚数が少なくなり、コストが高いという問題を有している。すなわち、このような包装用のカートンは大量に製造されるため、ブランク一枚では僅かなコストの差であっても、全体では材料費の差が大きなものとなる。
【０００８】
本発明は、上記のような問題に鑑みてなされたものであり、その目的とするところは、収納した椀状容器の保持機能がありながら、しかも湾曲部分がある外観を呈することができるようにしつつ、紙の使用量を少なくしてコストダウンを図った電子レンジ調理用カートンを提供し、併せてそれを用いた包装体を提供することにある。
【課題を解決するための手段】
【０００９】
上記の目的を達成するため、本発明の電子レンジ調理用カートンは、一枚のブランクを組み立てて形成されるカートンであって、底板と天板と一対の側板とで角筒状の胴部が形成され、その胴部の後部が閉じられて閉鎖部が形成された状態で、胴部に椀状容器を収納するようになっており、底板は天板より前方に突き出るサイズであり、底板の前方には折り返されることによりその先端縁が収納した椀状容器のフランジに係合してその飛出しを防止する押え板が連設され、天板の前方には折り返された押え板を跨いだ状態で先端が底板に係止可能となったカバー板が連設されていることを特徴としている。
【００１０】
また、本発明の包装体は、上記の電子レンジ調理用カートンを用いた包装体であって、底板と天板と一対の側板とで形成される角筒状の胴部に椀状容器が収納されており、底板の前方には、折り返されてその先端縁が椀状容器のフランジに係合可能な押え板が連設され、天板の前方には、折り返された押え板を跨いだ状態で先端が底板に係止されるカバー板が連設されていることを特徴としている。
【００１１】
また、本発明の包装体は、上記の電子レンジ調理用カートンを用いた包装体であって、底板と天板と一対の側板とで形成される角筒状の胴部に椀状容器が収納され、かつ椀状容器の上に包装袋が載置されており、底板の前方には、折り返されてその先端縁が椀状容器のフランジに係合可能な押え板が連設され、天板の前方には、折り返された押え板を跨いだ状態で先端が底板に係止されるカバー板が連設されていることを特徴としている。
【発明の効果】
【００１２】
本発明の電子レンジ調理用カートンは、底板に連設した押え板を折り返してその先端を椀状容器のフランジに係合させることで、加熱調理時における椀状容器のカートン内での移動を防止できるので、上下二段の板材からなる座部によって椀状容器を保持する従来のカートンに比べると、用紙の使用量が少なくなることから、材料費の削減になってコストダウンを図ることができる。しかも、カバー板により湾曲部分がある外観を呈するようにできるので、店頭にて目立たせることで販促効果を挙げるという点は従来のものと同様にすることができる。
【００１３】
本発明の包装体は、カートンの胴部に収納した椀状容器のフランジを底板に連設した押え板の先端で押さえることにより、加熱調理時における椀状容器のカートン内での移動が防止されたものになるので、上下二段の板材からなる座部によって椀状容器を保持する従来のカートンを用いたものに比べると、カートンを組み立てる用紙の使用量が少なくなることから、包装材の削減になってトータルでのコストダウンを図ることができる。しかも、組み立てた包装体は、湾曲部分がある外観を呈するようにできるので、店頭にて目立たせることで販促効果を挙げるという点は従来のものと同様にすることができる。
【図面の簡単な説明】
【００１４】
【図１】本発明に係る電子レンジ調理用カートンを用いた包装体の一例を示す斜視図である。
【図２】図１の包装体で用いる電子レンジ調理用カートンを組み立てるブランクの展開図である。
【図３】カートンに椀状容器と包装袋を入れた状態を示す斜視図である。
【図４】カートンに椀状容器を戻す様子を示す説明図である。
【図５】カートン戻した椀状容器に押え板の凸部を係合させた様子を示す説明図である。
【図６】本発明に係る電子レンジ調理用カートンを用いた包装体の別の例を示す斜視図である。
【発明を実施するための形態】
【００１５】
次に、本発明の実施の形態について図面を参照しながら詳細に説明する。
【００１６】
図１に示す包装体は、図２に展開図を示すブランクを組み立てたカートンＡを使用し、その中に椀状容器Ｂと包装袋Ｃとの組合せ商品を収納したものである。
【００１７】
包装体に入れられる椀状容器Ｂは、電子レンジで加熱調理が行えるように前加工された食品、例えばご飯を収容しているものであって、例えば円形の容器本体にその食品を入れ、フランジの部分に蓋材をヒートシール等により閉じたものである。一方、椀状容器Ｂと組み合わせてカートンに収納される包装袋Ｃは、椀状容器Ｂに収容した食品と一緒に加熱調理して食することのできる具材を収容しており、ここでは四方シール袋を用いて包装されている。なお、椀状容器Ｂの形状は円形に限定されるものではないし、包装袋Ｃは全体として略偏平になればよく、その形態や包材は特に限定されない。また、椀状容器Ｂに入っている食品だけを加熱調理する商品の場合には、包装袋Ｃが不要であって、カートンＡにはその椀状容器Ｂだけを収納することになる。
【００１８】
カートンＡを形成するブランクは、板紙を打ち抜いて形成されたもので、図２に示すように、底板１、側板２、天板３及び側板４がこの順で横方向に連設され、底板１の反対側には糊代片５が連設されている。底板１、側板２、天板３及び側板４は下辺がほぼ一直線上にあり、底板１と天板３の下辺にはそれぞれ閉鎖板６，７が連設され、両側板２，４の下辺にはそれぞれ折込み片８，９が連設されている。そして、オートロックとするため、閉鎖板６，７には折返し部６ａ，７ａがリード罫により区画されている。
【００１９】
底板１は上下方向に僅かに長い矩形状であり、一方、天板３は図示のように底板１より上下方向に短くなっており、その結果、組立時に底板１は天板３より前方に突き出るサイズになっている。また、一方の側板２には、その上方に底板１と天板３の前端同士を繋ぐ湾曲状の折曲げ線ａを介して木の葉状の折曲げ片１０が連設されており、他方の側板４にもその上方に前記側板２と対称的な湾曲状の折曲げ線ｂを介して同じ木の葉状の折曲げ片１１が連設されている。
【００２０】
なお、このブランクでは、側板２にデザインを考慮した木の葉状の通気孔２ａが設けられているが、通気孔の形状は図示のものに限らない。また、このような通気孔は、必要に応じて適宜設ければよいものであり、例えば両方の側板２，４に設けてもよいし、或いは設けなくてもよいものである。
【００２１】
底板１の上辺には、上下方向の長さが側板２，４の幅より僅かに大きくなったサイズの押え板１２が折曲げ可能に連設されており、この押え板１２の先端は中央が鍋底状に窪むことで二股状の凸部１２ａを有した形状であり、また両サイドは側板２，４の折曲げ片１０，１１の形状に合わせて円弧状に窪んでいる。一方、天板３の上方には、上下方向の長さが側板２，４の幅より大きく、しかも押え板１２の上下方向の長さよりも大きくなったサイズのカバー板１３がヒンジ部αを介して折曲げ可能に連設されており、この例ではヒンジ部αを通常の押罫またはリード罫により形成している。
【００２２】
そして、カバー板１３にはその先端に差込み片１４が折曲げ可能に連設されており、底板１と押え板１２との境界には、組立時においてその差込み片１４を差し込んで係止することができる長さでスリットｃが形成され、そのスリットｃの中央に指先サイズの引出し孔１５が形成されている。
【００２３】
図２のブランクを組み立てるカートンＡの中に椀状容器Ｂと包装袋Ｃを収納して図１に示す包装体を形成するが、第一段階として、図２のブランクをサック貼りして充填工程に供給する。具体的には、閉鎖板６，７の折返し部分６ａ，７ａを折り返した状態で、閉鎖板６，７及び折込み片８，９を内側に折り返し、折込み片８，９の表側に折返し部分６ａ，７ａの裏側を糊付けするとともに、糊代片５を側板４に貼り合わせたサック貼りする。このようにサック貼り状態で折り畳んだブランクを複数枚まとめて充填工程に送り、そこで中身を入れつつ図１に示す包装体を組み立てる。
【００２４】
充填工程において、サック貼り状態で折り畳まれたブランクを起こすと、底板１と天板３と一対の側板２，４とで角筒状の胴部が形成され、閉鎖板６，７のところがオートロックされ後部が閉じられて閉鎖部が形成される。なお、この閉鎖部は一例にすぎないものであり、このようなオートボトムのほか、差込みベロ、シールサック、ロックサック等の閉鎖手段を採用しても構わない。
【００２５】
このように起函してから、図３に示すように、カートンの前方から重ねた状態の椀状容器Ｂと包装袋Ｃを入れ、底板１の前方に連設する押え板１２を折り返す。このとき、押え板１２は椀状容器Ｂのフランジに係合させる必要はなく、開封した後で加熱調理する時に係合させればよい。なお、図３では椀状容器Ｂと包装袋Ｃを見やすくするため、天板３に連設するカバー板１３を上げた状態で図示しているが、通常はカバー板１３を手で軽く持ち上げるか持ち上げない状態で椀状容器Ｂと包装袋ＣをカートンＡ内に挿入する。
【００２６】
次いで、側板２，４の前方に連設する木の葉状の折曲げ片１０，１１をそれぞれ折曲げ線ａ，ｂのところで内側に折り曲げることで、折曲げ線ａ，ｂに沿った部分を上下に突っ張らせた状態とする。そして最後に、天板３の前方に連設するカバー板１３の先端にある差込み片１４を、底板１と天板３の境界にあるスリットｃに差し込んで係止させる。これにより、カバー板１３は押え板１２を湾曲状態で跨いだ状態で先端が底板１に係止された図１に示す状態となる。なお、この実施例では、カバー板１３のサイズを大きくして外側に湾曲した状態になるようにしているが、真っ直ぐでも構わないものである。
【００２７】
図１に示す包装体は、中身を電子レンジで加熱調理するが、その手順は次のようである。まず、湾曲したカバー板１３を持ち上げて、カートンＡの前部を開ける。このとき、スリットｃの中央にある引出し孔１５のところから指先を差込み片１４にあてがい、当該差込み片１４をスリットｃから引き出しながらカバー板１３を開けるようにするとよい。このようにしてカバー板１３を開け、椀状容器Ｂと包装袋ＣをカートンＡの前部から引き出すようにして取り出す。
【００２８】
椀状容器Ｂと包装袋Ｃを取り出した後、椀状容器Ｂの蓋材の一部を捲って開くとともに包装袋Ｃを開封し、蓋材を捲って形成した開口から包装袋Ｃの具材を椀状容器Ｂに入れてご飯と合わせる。次いで、図４に示すように、蓋材を戻して開口を閉じた状態にした椀状容器ＢをカートンＡの中に戻し、奥まで押し込んでから、図５に示すように、押え板１２を折り返してその二股状の凸部１２ａを椀状容器Ｂのフランジの下に係合させ、椀状容器ＢをカートンＡの中で固定する。なお、カバー板１３は開けたままでよい。
【００２９】
そして、カートンＡに椀状容器Ｂを収容してなる包装体を電子レンジの庫内に入れ、電子レンジによる加熱調理を行う。このとき、マイクロ照射された食品が突沸する可能性があるが、蓋材が戻された椀状容器Ｂは押え板１２により移動が防止され、しかも天板３が椀状容器Ｂの上方を覆っているため、椀状容器Ｂ内から食品の飛沫が包装体外部に飛ぶことがなく、電子レンジの庫内を汚すことがない。加熱が終了すれば、包装体を電子レンジの庫内から取り出し、押え板１２をフランジから外して椀状容器Ｂをカートンから取り出し、蓋材を取り除いて中身を食することになる。
【００３０】
上記のカートンＡは、使用時は平置きにするが、閉じた後部を下にして立てた状態にすることができるので、湾曲したカバー板１３の部分が上になって目立つものとなり、店頭での陳列時に消費者の目に付きやすく、販売効果が促進されるという効果を発揮する。
【００３１】
また、上記のカートンＡは、側板２，４の前方に連設する木の葉状の折曲げ片１０，１１をそれぞれ折曲げ線ａ，ｂのところで内側に折り曲げることで、折曲げ線ａ，ｂに沿った部分を上下に突っ張らせているので、向かい合う底板１と天板３を押した場合に強度が発揮されることから、平置き状態で積み重ねた場合にカートンが潰れるという問題は生じない。
【００３２】
図６に示す包装体は、図１のものと略同じ構成をしているが、天板３とカバー板１３との間にあるヒンジ部αの構成だけを変えてある。
【００３３】
このヒンジ部αは、図示のように、複数のへの字状の切れ目を断続的に並べた構成をしており、このヒンジ部αを境にしてカバー板１３を持ち上げると、隣接する切れ目の向かい合う端同士を繋ぐ仮想線の中心付近から切れ目の端に向かって板紙の組織破壊が徐々に大きく起こるようにして折り曲げられる。したがって、カバー板１３を持ち上げた時に、切れ目の端に近い部分は板紙の組織破壊が大きくなるが、隣接する切れ目の向かい合う端同士を繋ぐ仮想線の中心付近は板紙の組織破壊が小さく繋がっている状態となるため、折曲げ時の反発力が小さくなる。したがって、カートンＡの中身を出し入れする時にカバー板１３が開いた状態で保持させることができる。
【００３４】
以上、本発明を実施するための形態について詳細に説明してきたが、本発明による電子レンジ調理用カートン及びそれを用いた包装体は、上記の形態に何ら限定されるものではなく、本発明の趣旨を逸脱しない範囲において種々の変更が可能であることは当然のことである。
【符号の説明】
【００３５】
Ａ  カートン
Ｂ  椀状容器
Ｃ  包装袋
１  底板
２  側板
３  天板
４  側板
５  糊代片
６，７  閉鎖板
６ａ，７ａ  折返し部分
８，９  折込み片
１０，１１  折曲げ片
１２  押え板
１２ａ  凸部
１３  カバー板
１４  差込み片
１５  引出し孔
ａ，ｂ  折曲げ線
ｃ  スリット
α  ヒンジ部
【図１】
2011006108.tif 000003
【図２】
2011006108.tif 000004
【図３】
2011006108.tif 000005
【図４】
2011006108.tif 000006
【図５】
2011006108.tif 000007
【図６】
2011006108.tif 000008